(57)【要約】【課題】折戸の開閉時において戸体間に生じる隙間を抑制する。【解決手段】蝶番１１０により折り畳み自在に互いに連結される戸体の各面材を支持する金属製の枠体１は、戸体の裏側Ｂに設けられ、蝶番１１０が固定される固定部１０を有し、固定部１０は、蝶番１１０が固定される側の縁１０ａに蝶番１１０の軸部１１２に向けて突出した突部１３を有する。【選択図】図５
2020105848.tif 000002
【特許請求の範囲】
【請求項１】
蝶番により折り畳み自在に互いに連結される戸体の各面材を支持する金属製の枠体であって、
前記戸体の裏側に設けられ、前記蝶番が固定される固定部を有し、
前記固定部は、前記蝶番が固定される側の縁に前記蝶番の軸部に向けて突出した突部を有する
ことを特徴とする枠体。
【請求項２】
前記突部は、前記固定部から円弧状に突出していることを特徴とする請求項１に記載の枠体。
【請求項３】
前記突部は、前記固定部において前記蝶番が固定される側の縁において前記戸体の高さ方向に沿って形成されていることを特徴とする請求項１又は２に記載の枠体。
【請求項４】
前記戸体の表側に設けられ、折り畳む際に手を掛ける手掛け部を有し、
前記手掛け部の先端部は、前記蝶番が固定される側の縁から前記戸体の連結方向に後退した位置にあることを特徴とする請求項１から３までのいずれか一項に記載の枠体。
【請求項５】
前記固定部と前記手掛け部とを連結する連結部を有し、
前記連結部は、
一端が前記突部に連続し、前記戸体の厚さ方向に沿って延びる延在部と、
前記延在部の他端に連続し、連結時に隣接する戸体から遠ざかる方向に向けて湾曲するように形成された湾曲部と、
を有することを特徴とする請求項４に記載の枠体。
【請求項６】
前記湾曲部は、前記連結部に対して外側に向かって膨らんで湾曲する面を有することを特徴とする請求項５に記載の枠体。
【請求項７】
前記戸体の高さ方向に交差する方向に断面した断面形状が中空であることを特徴とする請求項１から６までのいずれか一項に記載の枠体。
【請求項８】
蝶番により折り畳み自在に互いに連結される戸体の各面材を支持する金属製の枠構造体であって、
前記戸体の裏側に設けられ、前記蝶番が固定される固定部を有する枠体を備え、
前記固定部は、前記蝶番が固定される側の縁に前記蝶番の軸部に向けて突出した突部を有する
ことを特徴とする枠構造体。
【請求項９】
開口部を開閉自在な折戸であって、
蝶番により互いに折り畳み自在に連結された戸体を備え、
前記戸体は、該戸体の面材を支持する金属製の枠構造体を有し、
前記枠構造体は、
前記戸体の裏側に設けられ、前記蝶番が固定される固定部を有する枠体を有し、
前記固定部は、前記蝶番が固定される側の縁に前記蝶番の軸部に向けて突出した突部を有する
ことを特徴とする折戸。
【発明の詳細な説明】
【技術分野】
【０００１】
本発明は、枠体、枠構造体及び折戸に関する。
【背景技術】
【０００２】
クローゼット等の開口部を開閉自在な折戸が知られている。折戸は、蝶番により互いに折り畳み自在に連結された複数の戸体を有している。図９に示すように、従来の折戸９００においては、折戸９００が開口部を閉鎖した閉鎖状態と開口部を開放した開放状態との間の移行時に、折戸９００の隣り合う戸体９２０の裏側（クローゼットの内部側）Ｂの隅角部に隙間Ｓ１が生じていた。そのため、特に、子供が誤って指を入れないよう、注意する必要があった。
【０００３】
そのため、子供などの小さな指であっても入りにくい程度に隙間Ｓ１を最小限に抑えるためには、戸体９２０を回動させる蝶番９１０の回動軸９１２が戸体９２０の隅角部に接近していることが望ましい。木製の折戸においては戸体の裏側に、蝶番を収容する埋込凹部を形成して、蝶番を戸体内に埋め込んだ状態で取り付けた折戸が開発されてきた（例えば、特許文献１参照。）。
【先行技術文献】
【特許文献】
【０００４】
【特許文献１】特開２０１４−０４７５９２号公報
【発明の概要】
【発明が解決しようとする課題】
【０００５】
ところで、戸体の面材が金属製の枠構造体により支持された折戸の場合、枠構造体の一部の枠体に蝶番が取り付けられることになる。しかしながら、金属製の枠体に埋込凹部を加工することは加工作業の負担及び材料コストを考慮すると現実的でない。したがって、金属製の枠体を有する折戸の場合、蝶番は、単に枠体に取り付けられるだけであり、蝶番の回動軸は必然的に戸体から離れた位置にある。
【０００６】
そこで、本発明は、上記課題に鑑みてなされたものであり、折戸の開閉時において戸体間に生じる隙間を抑制する技術を提供することを目的とする。
【課題を解決するための手段】
【０００７】
上記課題を解決するために、本発明は、蝶番により折り畳み自在に互いに連結される戸体の各面材を支持する金属製の枠体であって、前記戸体の裏側に設けられ、前記蝶番が固定される固定部を有し、前記固定部は、前記蝶番が固定される側の縁に前記蝶番の軸部に向けて突出した突部を有することを特徴とする。
【０００８】
また、前記突部は、前記固定部から円弧状に突出していてもよい。
【０００９】
また、前記突部は、前記固定部において前記蝶番が固定される側の縁において前記戸体の高さ方向に沿って形成されてもよい。
【００１０】
また、前記戸体の表側に設けられ、折り畳む際に手を掛ける手掛け部を有し、前記手掛け部の先端部は、前記蝶番が固定される側の縁から前記戸体の連結方向に後退した位置にあってもよい。
【００１１】
また、前記固定部と前記手掛け部とを連結する連結部を有し、前記連結部は、一端が前記突部に連続し、前記戸体の厚さ方向に沿って延びる延在部と、前記延在部の他端に連続し、連結時に隣接する戸体から遠ざかる方向に向けて湾曲するように形成された湾曲部と、を有していてもよい。
【００１２】
また、前記湾曲部は、前記連結部に対して外側に向かって湾曲する面を有していてもよい。
【００１３】
また、前記戸体の高さ方向に交差する方向に断面した断面形状が中空であってもよい。
【００１４】
さらに、上記課題を解決するために、本発明は、蝶番により折り畳み自在に互いに連結される戸体の各面材を支持する金属製の枠構造体であって、前記戸体の裏側に設けられ、前記蝶番が固定される固定部を有する枠体を備え、前記固定部は、前記蝶番が固定される側の縁に前記蝶番の軸部に向けて突出した突部を有することを特徴とする。
【００１５】
さらに、上記課題を解決するために、本発明は、開口部を開閉自在な折戸であって、蝶番により互いに折り畳み自在に連結された戸体を備え、前記戸体は、該戸体の面材を支持する金属製の枠構造体を有し、前記枠構造体は、前記戸体の裏側に設けられ、前記蝶番が固定される固定部を有する枠体を有し、前記固定部は、前記蝶番が固定される側の縁に前記蝶番の軸部に向けて突出した突部を有することを特徴とする。
【発明の効果】
【００１６】
本発明により、折戸の開閉時に戸体間に生じる隙間を抑制することができる。
【図面の簡単な説明】
【００１７】
【図１】本発明に係る枠体を有する折戸の開閉状態を示す図である。
【図２】折戸の戸体を互いに連結する蝶番の構成を説明するための図である。
【図３】本発明に係る枠体の部分斜視図である。
【図４】図１（ａ）のＡ−Ａ線において縦方向に交差する方向に断面した断面図である。
【図５】図１（ａ）のＢ−Ｂ線において縦方向に交差する方向に断面した断面図である。
【図６】本発明に係る枠体を備えた折戸が折り畳まれていく過程を示す図である。
【図７】折戸における従来の枠体の長手方向に交差する方向に断面した断面図である。
【図８】図７に示す枠体を備えた折戸が折り畳まれていく過程を示す図である。
【図９】従来の折戸の構成を示す図である。
【発明を実施するための形態】
【００１８】
本発明の好ましい実施の形態について、図面を参照しながら説明する。
【００１９】
本発明に係る枠体は、互いに折り畳み自在に連結されている戸体の各面材を支持する枠構造体を構成するものであり折戸に適用される。本発明に係る枠体が適用される折戸は公知の折戸であり、特定の折戸に限定されない。例えば、本実施の形態に係る枠体は、図１に示すクローゼットＣの開口部Ｏを開閉自在に構成された折戸１００に適用される。図１は、本発明の実施の形態に係る枠体１を有する折戸１００の開閉状態を示す図であり、図１（ａ）はクローゼットＣの開口部Ｏを閉じた閉鎖状態にある折戸１００を示す図であり、図１（ｂ）はクローゼットＣの開口部Ｏを開いた開放状態にある折戸１００を示す図である。折戸１００は、クローゼットＣの開口部Ｏの上枠及び下枠に設けられたレール等に支持されて摺動自在であり、クローゼットＣ内部への荷物の収納及びクローゼットＣの内部に収納された荷物の搬出を可能にしたりする折り畳み自在のドア装置である。
【００２０】
本実施の形態に係る枠体１が適用される折戸１００は、２個の蝶番１１０と、２枚の戸体１２０と、を備える。各戸体１２０は、蝶番１１０を介して互いに折り畳み自在に連結されている。蝶番１１０は、戸体１２０の高さ方向において所定の間隔をあけて戸体１２０の裏側に固定されて戸体１２０同士を連結している。クローゼットＣの開口部Ｏを閉鎖している閉鎖状態から開放している開放状態に折戸１００を移行させる場合、戸体１２０の互いに連結された部分が、外側（クローゼットＣの内部から離れる側）に突き出るようになっている。なお、説明の便宜上、図面において、折戸１００における戸体１２０の高さ方向を縦方向Ｌとし、折戸１００が開口部Ｏを開閉するための移動方向を横方向Ｑとする。また、折戸１００がクローゼットＣの開口部Ｏを閉鎖した閉鎖状態において、クローゼットＣの外部を向く側を表側Ｆ、クローゼットＣの内部を向く側を裏側Ｂとし、表側Ｆと裏側Ｂとの間で延びる方向を折戸１００又は戸体１２０の厚さ方向Ｔとする。
【００２１】
図２は、折戸１００の戸体１２０を互いに連結する蝶番１１０の構成を説明するための図であり、図２（ａ）は蝶番１１０の平面図であり、図２（ｂ）は蝶番１１０の側面図である。蝶番１１０は、一対の固定板１１１ａ，１１１ｂと、両固定板１１１ａ，１１１ｂを回動自在に連結する連結軸（軸部）１１２と、戸体１２０に埋め込まれる埋込凸部１１３と、を有する。
【００２２】
固定板１１１ａ，１１１ｂは、平面視において略細長扁平板状の金属製の板材により形成されている。固定板１１１ａ，１１１ｂは、長手方向の両端部にそれぞれ２つの貫通孔１１４を有している。固定板１１１ａ，１１１ｂはそれぞれ、貫通孔１１４を通じて異なる戸体１２０の後述する枠体１にそれぞれねじ等により固定されている。各固定板１１１ａ，１１１ｂは、連結軸１１２により互いに回動自在に連結されている。固定板１１１ａ，１１１ｂは、それぞれ一対の軸受部１１５ａ，１１５ｂを有する。一対の軸受部１１５ａ，１１５ｂは、それぞれ固定板１１１ａ，１１１ｂの長手方向に沿った互いに対向する縁部に形成されている。一対の軸受部１１５ａ，１１５ｂは、固定板１１１ａ，１１１ｂに対して垂直に立ち上げられて形成されている。軸受部１１５ａ，１１５ｂは、連結軸１１２を回動自在に支持する。一方の一対の軸受部１１５ａは、他方の軸受部１１５ｂを間に挟むようになっている。
【００２３】
連結軸１１２は、固定板１１１ａ，１１１ｂそれぞれの軸受部１１５ａ，１１５ｂに挿通されている。蝶番１１０は、裏側Ｂに面する戸体１２０の側において枠体１に固定されている。
【００２４】
埋込凸部１１３は、連結軸１１２の回転軸線Ｘに沿った方向において固定板１１１ａ，１１１ｂの中間部分に設けられている。埋込凸部１１３は、軸受部１１５ａ，１１５ｂとは反対の側に突出している。埋込凸部１１３は、平面視略円形状を有しており、枠体１の後述する開放孔部１１に埋め込まれるようになっている。
【００２５】
図１に示すように、戸体１２０は、面材１２１と、枠構造体１２２と、を有する。面材１２１は、枠構造体１２２によってその周縁部を支持されている。面材１２１は、折戸１００をクローゼットＣの表側Ｆから見た正面視において矩形に形成されており、例えば、木製、樹脂製、ガラス製、金属製等の板材により形成されている。
【００２６】
枠構造体１２２は、縦方向Ｌにおいて面材１２１の上側の縁部を支持する上枠体１２３と、面材１２１の下側の縁部を支持する下枠体１２４と、縦方向Ｌに延在する面材１２１の縦縁部を支持する２つの縦枠体１，１２５と、を有する。枠構造体１２２の上枠体１２３、下枠体１２４及び縦枠体１，１２５は、それぞれアルミニウムを押出成形することにより形成されている。上枠体１２３及び下枠体１２４は、横方向Ｑに交差する方向に断面した形状が中空形状になっており、縦枠体１及び１２５は、縦方向Ｌに交差する方向に断面した形状が中空形状になっている。なお、枠構造体１２２の各枠体１，１２３，１２４，１２５はそれぞれ、押出成形に用いることができる材料であれば、特に材料を限定することなく製造することができる。
【００２７】
上記の構成を有する枠構造体１２２のうち、戸体１２０の互いに連結される連結側に設けられていて、蝶番１１０が取り付けられる縦枠体は、本発明に係る枠体１により構成されている。図３は、枠体１の部分斜視図であり、図４は、図１（ａ）のＡ−Ａ線において縦方向Ｌに交差する方向に断面した断面図であり、図５は、図１（ａ）のＢ−Ｂ線において縦方向Ｌに交差する方向に断面した断面図である。なお、図面を見やすくするために、図５において、枠体１の内部空間に入り込んだ蝶番１１０の部分（例えば、埋込凸部１１３等）は図示しない。
【００２８】
木製の戸体を有する従来の折戸においては、戸体の裏側に埋込凹部を形成することにより、蝶番全体を埋込凹部に落とし込むことができた。これにより、蝶番は、埋込凹部内において戸体に固定され、互いに向かい合う戸体の裏側の隅角部と蝶番の連結軸とが接近させられ、折戸の開閉時に生じる戸体間の隙間を最小限に抑えることができた。これに対して、中空状に形成された金属製の枠体を有する折戸は、蝶番が取り付けられる枠体の一部に孔部（例えば、図３の開放孔部１１参照。）を形成することで、蝶番の一部を枠体内に部分的に落とし込むことはできる。しかしながら、蝶番は、枠体に固定板を介して取り付けなければならず、固定板を枠体内に埋め込むことはできなかった。そのため、中空状の枠体を備えた戸体の隅角部間には、例えば、子供の指が誤って入り込んでしまうおそれがある隙間が、折戸の開閉時に戸体間に生じることが予想される。
【００２９】
折戸１００の開閉時に、蝶番１１０の連結軸１１２と戸体１２０の裏側Ｂの隅角部との間に生じる隙間Ｓ１を最小に抑制すべく本発明に係る枠体１が有意であることが分かった。本発明の実施の形態に係る枠体１は、蝶番１１０により折り畳み自在に互いに連結される戸体１２０の各面材１２１を支持する金属製のフレームであり、戸体１２０が互いに連結される側（連結側）である木口側に設けられている。枠体１は、固定壁部（固定部）１０と、連結壁部２０と、支持壁部（支持部）３０と、内周壁部４０と、を備える。以下、枠体１の構成について具体的に説明する。
【００３０】
枠体１は、折戸１００が開口部Ｏを閉鎖した閉鎖状態において隣り合う戸体１２０が互いに連結される側で戸体１２０の縦方向Ｌに沿って延びている。枠体１の内部空間は、固定壁部１０と、連結壁部２０と、支持壁部３０と、内周壁部４０と、により画定されている。
【００３１】
固定壁部１０は、２つの開放孔部１１を有する。開放孔部１１は、縦方向Ｌにおいて互いに間隔をあけた２つの位置において、枠体１の内部空間が外部と連通するように枠体１に形成されている。開放孔部１１は、連結壁部２０の側に形成されており、裏側Ｂであって折戸１００の閉鎖状態において連結壁部２０が面する側に枠材１の内部空間を開放している。開放孔部１１は、蝶番１１０の埋込凸部１１３の形状に対応する形状を有しており、平面視略円形状に形成されている。開放孔部１１に蝶番１１０の埋込凸部１１３が埋め込まれている。なお、蝶番１１０が埋め込まれる開放孔部１１の数は、２つに限られず、戸体１２０の大きさに応じて適宜変更することができ、１つであっても、３つ以上であってもよい。
【００３２】
固定壁部１０は、縦方向Ｌに開放孔部１１を挟んだ位置にそれぞれ２つの貫通孔１２を有する。貫通孔１２は、蝶番１１０が枠体１に取り付けられた状態において、蝶番１１０の貫通孔１１４と整合するようになっている。
【００３３】
固定壁部１０は、折戸１００の閉鎖状態において折戸１００の裏側Ｂに面し、蝶番１１０が固定される。固定壁部１０は、連結壁部２０を超えて連結された戸体１２０の側（内周壁部４０とは反対の側）に延びている。固定壁部１０の連結壁部２０を超えた部分は、連結された戸体１２０との間の空間を塞ぐようになっている。
【００３４】
固定壁部１０は、突部１３を有する。突部１３は、蝶番１１０が固定される側の縁１０ａに蝶番１１０の連結軸１１２に向けて突出している。ここで「縁１０ａ」とは、連結された戸体１２０に最も近接する固定壁部１０の先端部のことである。突部１３は、固定壁部１０の裏側Ｂに面する面から円弧状に突出している。突部１３は、縦方向Ｌに見て、連結軸１１２と部分的に重なっている（図５参照。）。突部１３は、戸体１２０の縦方向Ｌに沿って開放孔部１１が形成された場所以外の部分に形成されている。突部１３は、本実施の形態においては、縦方向Ｌに交差する断面形状が円弧状（略半円形状）であるが、突部１３の断面形状は特に限定されず、三角形、矩形等の多角形状であってもよい。
【００３５】
連結壁部２０は、固定壁部１０から表側Ｆに向かって固定壁部１０と支持壁部３０との間を延び、戸体１２０が互いに展開した状態（開放状態）において互いに連結された戸体１２０に対向する。連結壁部２０は、押さえ部２１と、手掛け部２２と、Ｒ壁部２３と、を有する。連結壁部２０は、固定壁部１０と押さえ部２１及び手掛け部２２とを連結するようになっている。
【００３６】
押さえ部２１は、戸体１２０の表側Ｆに設けられている。押さえ部２１は、連結壁部２０に対して内周壁部４０の側に、つまり、戸体１２０の連結方向において後退する側（連結された戸体１２０とは反対の側）に向かって延びている。支持壁部３０と押さえ部２１とは、互いに面材１２１の厚さに相当する間隔だけあけられている。押さえ部２１は、表側Ｆから面材１２１の縁部を支持壁部３０に向かって押さえ付けることにより面材１２１を支持している。
【００３７】
手掛け部２２は、折戸１００の開閉を行う際に操作者の手掛けとなる部分である。手掛け部２２は、戸体１２０の表側Ｆに設けられている。手掛け部２２は、横方向Ｑにおいて押さえ部２１とは反対の側に向かって、つまり、連結された戸体１２０の側に向かって延びている。手掛け部２２の先端部は、蝶番１１０が固定される側の縁１０ａから戸体１２０の連結方向に後退した位置にある。つまり、手掛け部２２の先端部は、固定壁部１０の先端部よりも内周壁部４０の側に位置する。手掛け部２２は、その先端部において固定壁部１０の側に向かって凸に突き出た凸部２２ａを有する。折戸１００の閉鎖状態において、折戸１００の表側Ｆから見て、互いに連結された戸体１２０の手掛け部２２の間には所定の隙間Ｓ２が確保されている。操作者は、隙間Ｓ２を通じて指を枠体１間に入れ込むことができる。
【００３８】
Ｒ壁部２３は、連結壁部２０から戸体１２０の連結方向に延び、固定壁部１０に連結されている。具体的には、Ｒ壁部２３は、延在部２３ａと、湾曲部２３ｂと、を有する。延在部２３ａの一端は、突部１３に連続して戸体１２０の厚さ方向Ｔに沿って延びている。湾曲部２３ｂは、延在部２３ａの他端に連続し、連結された戸体１２０から遠ざかる方向、つまり、連結壁部２０又は内周壁部４０の側に向かって湾曲して形成されている。湾曲部２３ｂは、連結壁部２０に対して外側に膨らんで湾曲するＲ面２４を有する。なお、折戸１００が閉鎖された状態において各枠体１の手掛け部２２と、連結壁部２０と、Ｒ壁部２３とにより手掛け空間１４が画定されている。操作者は、手掛け部２２間の隙間Ｓ２を通じて手掛け空間１４内に指を挿入して、手掛け部２２を表側Ｆに引っ張ることができる。
【００３９】
支持壁部３０は、固定壁部１０に対して表側Ｆに位置する。支持壁部３０は、連結壁部２０から内周壁部４０の側に向かって、固定壁部１０に対して厚さ方向Ｔに所定の間隔をあけて平行に延在している。支持壁部３０は、面材１２１に裏側Ｂから接触して支持する。面材１２１は、枠体１においては表側Ｆの押さえ部２１と、裏側Ｂの支持壁部３０とによって挟持されている。
【００４０】
内周壁部４０は、他の縦枠体１２５に面しており、固定壁部１０と支持壁部３０との間で連結壁部２０に対して平行な位置にある。
【００４１】
次に、本発明に係る枠体１を備える折戸１００の開閉動作について説明する。図６は、本発明に係る枠体１を備えた折戸１００の開閉動作を説明するための概略図である。なお、図面を見やすくするために、図６において、枠体１の内部空間に入り込んだ蝶番１１０の部分（例えば、埋込凸部１１３等）は図示しない。図７は、従来の折戸の枠体２０１の構成を説明するための図である。図８は、従来の折戸の開閉動作を説明するための概略図である。従来の折戸における枠体２０１は、固定壁部２１０と、外周壁部２２０と、支持壁部２３０と、内周壁部２４０とを有し、中空状に形成されている。折戸１００の枠体１と、従来の折戸の枠体２０１との相違点は、枠体２０１が枠体１の突部１３及び手掛け部２２に相当する構成を有していない点である。この突部１３の有無は、それぞれの折戸の閉鎖状態と開放状態との移行時に連結された戸体の裏側Ｂの隅角部間に生じる隙間Ｓ１の大きさに差をもたらす。
【００４２】
図６（ａ）と図８（ａ）、図６（ｂ）と図８（ｂ）及び図６（ｃ）と図８（ｃ）とは、それぞれ、蝶番１１０により互いに連結された戸体１２０同士を同じ角度だけ相対的に回動させた状態を示している。相対的な回動角が大きくなるに連れて、枠体１及び枠体２０１共に、戸体間の隙間Ｓ１が大きくなっていくことが分かる。しかしながら、枠体１と枠体２０１とを比較すると、枠体１においては、突部１３の存在により、同じ角度だけ回動させられた枠体２０１に比べて戸体１２０の間の隙間Ｓ１は小さくなっている。突部１３は、閉鎖状態から開放状態への連結軸１１２を中心とした戸体１２０の回動と共に、戸体１２０間に生じる隙間Ｓ１を埋めるように、連結軸１１２を中心に移動する。換言すると、突部１３は、閉鎖状態から開放状態への戸体１２０の回動と共に、連結軸１１２から離れないように連結軸１１２に接近した位置を移動し続け、戸体１２０の間の隙間Ｓ１が広がらないようにしている。折戸が完全に開放状態に達した場合、各枠体１の固定壁部１０は互いに略平行になり、固定壁部１０間には所定の隙間が生じている。しかしながら、本発明に係る枠体１においては、連結された戸体１２０における各突部１３が、互いに向かい合った状態で固定壁部１０間の隙間Ｓ１を埋める（狭める）ようになっている。
【００４３】
これに対して、従来の折戸においては、枠体２０１は突部１３を有していないので、閉鎖状態から開放状態への連結軸１１２を中心とした戸体の回動と共に、戸体の裏側Ｂの隣り合う隅角部は全体的に連結軸１１２から離れていき、隙間Ｓ１は大きくなっていく。そのため、従来の折戸の完全な開放状態においては、指が入り込まないように注意する必要がある程度の隙間Ｓ１が形成されるおそれがある。
【００４４】
以上のような構成を有する枠体１によれば、突部１３の存在により、折戸１００の開閉時に戸体１２０の裏側Ｂの隣り合う隅角部間に生じる隙間Ｓ１を最小限に抑えることができ、隙間Ｓ１に指が入り込むおそれがない折戸１００を提供することができる。枠体１自体に突部１３が設けられているので、隙間Ｓ１を狭めるために特別な加工を実施する必要はなくなる。枠体１は、アルミニウムを押出成形することにより製造されているので、複雑な断面形状を有する枠体１であっても容易に製造することができる。
【００４５】
また、突部１３は円弧状に突出しているため、連結された戸体１２０の開閉動作時に突部１３同士が干渉することなく、また、干渉したとしても、互いの表面において転動する。これにより、隙間Ｓ１を抑制すると共に、滑らかな折戸１００の開閉が可能になる。
【００４６】
また、突部１３は、戸体１２０の縦方向Ｌに沿って延びている。これにより、戸体１２０の縦方向Ｌにおいて、蝶番１１０が設けられている部分を除き大部分において隙間Ｓ１の形成が抑制されている。
【００４７】
また、枠体１の固定壁部１０は、連結壁部２０を超えて延在しているので枠体１に手掛け部２２を形成することができ、この手掛け部２２が固定壁部１０よりも内周壁部４０の側に後退した位置にある。これにより、互いに連結された戸体１２０の間に手掛け空間１４が画定され、戸体１２０の表側Ｆに別途、取っ手等を取り付ける必要がなくなり、クローゼットＣと壁との一体感が増し、優れた意匠性を持った折戸１００を提供することができる。
【００４８】
また、連結壁部２０にＲ壁部２３が設けられていることにより、折戸１００が完全に開放した状態において、仮に指がＲ壁部２３間にあり、折戸１００が閉じる場合であっても、湾曲部２３ｂにより指が抜けやすい構造になっている。
【００４９】
枠体１により、折戸１００の閉鎖状態において裏側Ｂにおける戸体１２０の隅角部の隙間Ｓ１は突部１３により最小限に抑えられて指の誤進入を防止すると共に、折戸１００の開放状態においてＲ壁部２３間に指が残った状態で折戸１００を閉められた場合でも、指が抜けやすくなっている。枠体１が適用された折戸１００においては、折戸１００の開閉の際に戸体１２０間に指を挟みやすかったという従来の事象を回避することができる。
【００５０】
以上、本発明の好適な実施の形態について説明したが、本発明は上記の実施の形態に限定されるものではなく、本発明の概念及び特許請求の範囲に含まれるあらゆる態様を含む。また、上述した課題及び効果の少なくとも一部を奏するように、各構成を適宜選択的に組み合わせてもよい。例えば、上記実施の形態における各構成要素の形状、材料、配置、サイズ等は、本発明の具体的使用態様によって適宜変更されうる。上記の実施の形態では、手掛け部２２が設けられていたが、手掛け部２２ではなく戸体１２０に取っ手を別途取り付けてもよい。この場合、突部１３は、固定壁部１０と連結壁部２０との連結部位において裏側Ｂへ突出して設けられていればよい。
【符号の説明】
【００５１】
１  枠体、縦枠体
１０  固定壁部（固定部）
１０ａ  縁
１３  突部
２０  連結壁部（連結部）
２２  手掛け部
２３  Ｒ壁部
２３ａ  延在部
２３ｂ  湾曲部
２４  Ｒ面（湾曲する面）
３０  支持壁部
４０  内周壁部
１００  折戸
１１０  蝶番
１１２  連結軸（軸部）
１２０  戸体
【図１】
2020105848.tif 000003
【図２】
2020105848.tif 000004
【図３】
2020105848.tif 000005
【図４】
2020105848.tif 000006
【図５】
2020105848.tif 000007
【図６】
2020105848.tif 000008
【図７】
2020105848.tif 000009
【図８】
2020105848.tif 000010
【図９】
2020105848.tif 000011